(57)【要約】      （修正有）【課題】目視する角度によって彩色が変わる、意外性があり画期的で実用性の高い可変色装飾物を提供する。【解決手段】下層フィルム１の上面にベタ印刷をした着色印刷層２と、着色印刷層２の上面に貼設した透明の極薄上層フィルム３と、プリズム基板４ａの下面に断面三角形状の突条を多数突設したプリズム部４ｂと、プリズム部４ｂの表面に蒸着加工した半透明状の蒸着層５と、プリズム基板４ａの上面に抜き印刷した抜き印刷層６と、を備え、極薄上層フィルム３の上面に前記プリズム部４ｂに蒸着加工した蒸着層５を合着させた。【選択図】図１
2011064747.tif 000002
【特許請求の範囲】
【請求項１】
下層フィルムと、該下層フィルムの上面にベタ印刷をした着色印刷層と、該着色印刷層の上面に貼設した透明の極薄上層フィルムと、平板状のプリズム基板の下面に断面三角形状の突条を多数突設したプリズム部と、該プリズム部の表面に蒸着加工した半透明状の蒸着層と、前記プリズム基板の上面に図柄又は文字を抜き印刷した抜き印刷層と、を備え、前記極薄上層フィルムの上面に前記プリズム部に蒸着加工した蒸着層を合着させたことを特徴とするプリズム板を備えた可変色装飾物。
【請求項２】
下層フィルムを備えるステップと、該下層フィルムの上面に着色印刷層をベタ印刷するステップと、該着色印刷層の上面に透明の極薄上層フィルムを貼設するステップと、平板状のプリズム基板の下面に断面三角形状の突条のプリズム部を多数突設するステップと、該プリズム部の表面に半透明状の蒸着層を蒸着加工するステップと、前記プリズム基板の上面に図柄又は文字の抜き印刷層を抜き印刷するステップと、前記極薄上層フィルムの上面に前記プリズム部に蒸着加工した蒸着層を合着させるステップと、を含むことを特徴とするプリズム板を備えた可変色装飾物の製造方法。
【発明の詳細な説明】
【技術分野】
【０００１】
本発明はプリズム板を備えた可変色装飾物とその製造方法に関するものであり、更に詳細には、正面からはプリズム部に蒸着された蒸着層の色が目視され、一定角度の斜め方向からは下層フィルムに配した別の着色印刷層の着色が目視できる可変色装飾のプリズム板を備えた可変色装飾物とその製造方法に関するものである。
【背景技術】
【０００２】
従来、この種のプリズム板を備えた装飾物は、先に開示された、例えば、微細な多数のプリズム面が形成されたプリズム板により再帰反射性を有した再帰反射体であって、該プリズム板上に、透光性を有するインキ層が形成されたもの（特許文献１参照）や、裏面に、反射シートまたは微細な多数のプリズム面が形成されたプリズム板のどちらか一方の再帰反射材が付設され、ビーズによる再帰反射膜がない部分に入射した光は、反射シートまたはプリズムによって再帰反射するもの（特許文献２参照）や、 ハーフミラーにより構成した筒状の外表示体８ と、外表示体８内に縦軸廻り回転自在に設けた筒状の内表示体２１と、内表示体２１内に設けた光源３３とを備え、内表示体２１は、外周側のミラー板２２と内周側のプリズム板２３とを重合状に備えて成り、ミラー板２２に表示用抜孔２５が設けられているもの（特許文献３参照）等が開示されている。
【特許文献１】特開２００４−３６１６１号公報
【特許文献２】特開２００４−２１１２９号公報
【特許文献３】特開平６−９５６０３号公報
【発明の開示】
【発明が解決しようとする課題】
【０００３】
然し乍ら、前述の開示されている特許文献１〜２のプリズム板を備えたものであるが、再帰反射体のものであり、特許文献３のものも、光源３３の光がプリズム板２３によって反射・屈折されて表示用抜孔２５から内表示体２１の外へ放出され、その光が外表示体８と内表示体２１との間で反射をくり返しながら、外表示体８から外部に放出され、外部から見ると、表示用抜孔２５の表示が奥行きをもって何重にも重なって見えるもので、やはり反射や屈折をさせるものであり、彩色を変化させるものであるが、斬新なものでなく夫々課題を有していた。
【課題を解決するための手段】
【０００４】
本発明は前記課題に鑑み、鋭意研鑽の結果、これらの課題を解決するもので、請求項１に記載のプリズム板を備えた可変色装飾物は、下層フィルムと、下層フィルムの上面にベタ印刷をした着色印刷層と、着色印刷層の上面に貼設した透明の極薄上層フィルムと、平板状のプリズム基板の下面に断面三角形状の突条を多数突設したプリズム部と、プリズム部の表面に蒸着加工した半透明状の蒸着層と、プリズム基板の上面に図柄又は文字を抜き印刷した抜き印刷層と、を備え、極薄上層フィルムの上面にプリズム部に蒸着加工した蒸着層を合着させたものである。
【０００５】
更に、請求項２に記載のプリズム板を備えた可変色装飾物の製造方法は、下層フィルムを備えるステップと、下層フィルムの上面に着色印刷層をベタ印刷するステップと、着色印刷層の上面に透明の極薄上層フィルムを貼設するステップと、平板状のプリズム基板の下面に断面三角形状の突条のプリズム部を多数突設するステップと、プリズム部の表面に半透明状の蒸着層を蒸着加工するステップと、プリズム基板の上面に図柄又は文字の抜き印刷層を抜き印刷するステップと、極薄上層フィルムの上面にプリズム部に蒸着加工した蒸着層を合着させるステップと、を含むものである。
【発明の効果】
【０００６】
前述の如く構成した本発明のプリズム板を備えた可変色装飾物とその製造方法は、正面から見るとプリズム基板の上面に抜き印刷した抜き印刷層と、抜き印刷層の非印刷部分ではプリズム部に蒸着加工した蒸着層の蒸着色とが目視され、目視する角度が変わることによってプリズム部により蒸着層が透過状態となり、下層フィルムの上面にべた印刷した着色印刷層が透過して目視できるもので、意外性があり画期的で実用性の高い有効な発明である。
【発明を実施するための最良の形態】
【０００７】
以下、本発明のプリズム板を備えた可変色装飾物とその製造方法との実施の形態を図面によって、具体的に説明すると、図１は本発明のプリズム板を備えた可変色装飾物の実施例の積層状態の断面説明図であり、図２は本発明のプリズム板を備えた可変色装飾物の実施例の分解状態の断面説明図である。
【０００８】
本発明はプリズム板を備えた可変色装飾物とその製造方法に関するものであり、更に詳細には、正面からはプリズム部に蒸着された蒸着層の色が目視され、一定角度の斜め方向からは下層フィルムに配した別の着色印刷層の着色が目視できる可変色装飾のプリズム板を備えた可変色装飾物とその製造方法に関するものであり、請求項１に記載のプリズム板を備えた可変色装飾物は、下層フィルム１と、該下層フィルム１の上面にベタ印刷をした着色印刷層２と、該着色印刷層２の上面に貼設した透明の極薄上層フィルム３と、平板状のプリズム基板４ａの下面に断面三角形状の突条を多数突設したプリズム部４ｂと、該プリズム部４ｂの表面に蒸着加工した半透明状の蒸着層５と、前記プリズム基板４ａの上面に図柄又は文字を抜き印刷した抜き印刷層６と、を備え、前記極薄上層フィルム３の上面に前記プリズム部４ｂに蒸着加工した蒸着層５を合着させたことを特徴とするものである。
【０００９】
更に、請求項２に記載のプリズム板を備えた可変色装飾物の製造方法は、下層フィルム１を備えるステップと、該下層フィルム１の上面に着色印刷層２をベタ印刷するステップと、該着色印刷層２の上面に透明の極薄上層フィルム３を貼設するステップと、平板状のプリズム基板４ａの下面に断面三角形状の突条のプリズム部４ｂを多数突設するステップと、該プリズム部４ｂの表面に半透明状の蒸着層５を蒸着加工するステップと、前記プリズム基板４ａの上面に図柄又は文字の抜き印刷層６を抜き印刷するステップと、前記極薄上層フィルム３の上面に前記プリズム部４ｂに蒸着加工した蒸着層５を合着させるステップと、を含むことを特徴とするものである。
【実施例】
【００１０】
即ち、本発明のプリズム板を備えた可変色装飾物は、例えば、商品名やメーカー名を抜き印刷した表面を有する装飾物を製品に貼付することで、正面からは抜き印刷層６と非印刷部分６ａとが目視され、非印刷部分６ａではプリズム部４ｂの蒸着層５のシルバーの蒸着色が目視され、角度が変わることでべた印刷した着色印刷層２がプリズム板４の作用により透過して目視できるものである。
【００１１】
そして、下層フィルム１は、下面を製品等に貼付するものであり、上面に後述する着色印刷層２をベタ印刷するもので、合成樹脂、アルミ箔、紙等のものである。
【００１２】
次に、着色印刷層２は、下層フィルム１の上面にベタ印刷をしたもので、印刷する方法及び色は特に問わないものであるが、後述する蒸着層５のシルバー色からの可変色を明らかに目視できる色が好ましいものである。
【００１３】
次いで、極薄上層フィルム３は、透明の合成樹脂の極薄いフィルムで下面を前記着色印刷層２に貼着させ、上面には後述するプリズム板４を配設するものである。
【００１４】
更に、プリズム板４は、平板状の基板４ａの下面に断面三角形状のプリズム部４ｂとする多数の突条を並設させたものであり、透明の合成樹脂で形成するもので、平板状の基板４ａの上面には後述する抜き印刷層６が印刷され、プリズム部４ｂの表面には後述する蒸着層５を蒸着加工するものである。
【００１５】
更には、蒸着層５は、プリズム板４のプリズム部４ｂの表面にアルミニウム等の金属を蒸着加工するもので、アルミニウム等の金属のシルバー色で、後述する前記極薄上層フィルムと合着させて積層するするものである。
【００１６】
加えて、抜き印刷層６は、前記プリズム板４のプリズム基板４ａの上面に製品名や商標等の図柄又は文字を抜き印刷するものであり、抜き印刷をした部分と非印刷部分６ａとが表れ、抜き印刷をした部分は印刷色が表れ、非印刷部分６ａは蒸着層５の蒸着色のシルバーが表れるものである。
【００１７】
そして、このように構成されたプリズム板を備えた可変色装飾物は、図１に図示するように、矢印Ａの位置、つまり、正面の位置から目視するとプリズム板４のプリズム基板４ａの上面に抜き印刷した抜き印刷層６と、製品名や商標等の図柄又は文字の非印刷部分６ａとが目視され、非印刷部分６ａではプリズム部４ｂの反射により蒸着層５のシルバーが目視されるものである。
【００１８】
次に、矢印Ｂの位置まで視線が移動すると、つまり、プリズム板４の三角形状のプリズム部４ｂの一面と直角に直交する位置では、半透明の蒸着層５を透過した一部の視線は下層フィルム１の上面にベタ印刷された着色印刷層２の他の色を目視するもので、恰も、抜き印刷された非印刷部分６ａの製品名や商標等の図柄又は文字が蒸着層５のシルバーの蒸着色が他の色に変色して目視されるものである。
【００１９】
また、前記プリズム板を備えた可変色装飾物の製造方法は、先ず、下層フィルム１を備えるステップを含み、次に、下層フィルム１の上面に着色印刷層２をベタ印刷するステップを含み、次いで、着色印刷層２の上面に透明の極薄上層フィルム３を貼設するステップを含むものである。
【００２０】
更に、平板状のプリズム基板４ａの下面に断面三角形状の突条のプリズム部４ｂを多数突設するステップを含み、プリズム部４ｂの表面に半透明状の蒸着層５を蒸着加工するステップを含み、プリズム基板４ａの上面に図柄又は文字の抜き印刷層６を抜き印刷するステップを含むものである。
【００２１】
そして、下層フィルム１の上面に着色印刷層２をベタ印刷し更に上面に貼設した透明の極薄上層フィルム３の上面に、プリズム部４ｂに蒸着加工した蒸着層５を合着させるステップとを含むものである。
【産業上の利用可能性】
【００２２】
本発明のプリズム板を備えた可変色装飾物とその製造方法は、正面から見るとプリズム基板の上面に抜き印刷した抜き印刷層と、抜き印刷層の非印刷部分ではプリズム部に蒸着加工した蒸着層の蒸着色とが目視され、目視する角度が変わることによってプリズム部により蒸着層が透過状態となり、下層フィルムの上面にべた印刷した着色印刷層が透過して目視できるプリズム板を備えた可変色装飾物を提供するものである。
【図面の簡単な説明】
【００２３】
【図１】図１は本発明のプリズム板を備えた可変色装飾物の実施例の積層状態の断面説明図である。
【図２】図２は本発明のプリズム板を備えた可変色装飾物の実施例の分解状態の断面説明図である。
【符号の説明】
【００２４】
１      下層フィルム
２      着色印刷層
３      極薄上層フィルム
４      プリズム板
４ａ    基板
４ｂ    プリズム部
５      蒸着層
６      抜き印刷層
６ａ    非印刷部分
【図１】
2011064747.tif 000003
【図２】
2011064747.tif 000004